(57)【特許請求の範囲】
【請求項１】
電力を受給する電力線を有し、外部端末との間で通信線を介して情報を送受信する通信機器を収納する通信機器収納部と、
電力供給源に接続されて前記通信機器に電力を供給する無停電電源装置を収納する電源装置収納部と
を有するラック本体を具備してなる通信機器収納ラックにおいて、
前記電源装置収納部は、前記通信機器収納部よりも下部に設けられてなるとともに少なくとも２つの前記無停電電源装置が配置されてなり、
前記ラック本体は、
前記電力線の終端部を接続する電力線終端部接続端子と、
前記２つの前記無停電電源装置の電力を供給する電力供給線の終端部を接続する電力供給線終端部接続端子と、
前記電力線終端部接続端子に電気的に接続されて当該電力線終端部接続端子を介して前記通信機器に接続されるとともに前記電力供給線終端部接続端子に電気的に接続されて当該電力供給線終端部接続端子を介して前記２つの前記無停電電源装置に接続され、前記電力供給線終端部接続端子から供給される前記２つの前記無停電電源装置からの電力を前記電力線終端部接続端子から前記通信機器に供給する供給源切替機構と
を具備してなり、
前記供給源切替機構は、前記２つの前記無停電電源装置のうち一方の電力供給が停止した場合に他方の電力を前記電力線終端部接続端子から前記通信機器に供給するものであり、
前記ラック本体の支柱に前記電力線終端部接続端子と前記電力供給線終端部接続端子と空洞部を設け、前記支柱の前記空洞部に前記供給源切替機構を具備してなる
ことを特徴とする通信機器収納ラック。
【請求項２】
前記電源装置収納部は、重力に対して水平な平面上で前記ラック本体の重心位置に対して互いに対称の位置に同一機種の少なくとも２つの前記無停電電源装置が配置されてなる
ことを特徴とする請求項１記載の通信機器収納ラック。
【発明の詳細な説明】
【０００１】
【発明の属する技術分野】
本発明は、停電や瞬断等による通信機器のシステムダウンを防止する予備電源装置を収納した通信機器収納ラックに関する。
【０００２】
【従来の技術】
近年、停電や瞬断等による通信機器のシステムダウンを防止する予備電源装置として、無停電電源装置（ＵＰＳ：Uninterruptible Power System）が利用されている。このＵＰＳは、停電や瞬断と同時にバッテリから低電圧低周波で電源を供給する。バッテリの他に、通常時にバッテリを充電するための充電器、バッテリの出力が直流であるために、その出力を交流に変換するためのインバータから構成される。
【０００３】
このＵＰＳを用いることにより、商用電源からＵＰＳのバッテリに切り替わった後に、５〜３０分程度電源を供給し続ける。その間にＵＰＳから停電信号を出力し、接続されたコンピュータのシャットダウン処理を行うことができる型式もある。
【０００４】
このＵＰＳを含むシステムを実現するために、例えばシステムを構成する通信機器を設置する建造物に引かれた電源にＵＰＳを接続し、このＵＰＳからさらに接続線をつなげ、この接続線にラックに収納された通信機器に接続することによりＵＰＳシステムを実現していた。
【０００５】
【発明が解決しようとする課題】
上述したように、ＵＰＳを用いることにより、停電や瞬断等による通信機器のシステムダウンを防止することができるが、ラックのスペースを有効利用して省空間化を図ることが望ましい。
【０００７】
本発明は上記課題を解決するためになされたもので、その目的とするところは、簡便に瞬断による通信機器の機能停止を防止するとともにスペースを有効利用して省空間化を図ることができる通信機器収納ラックを提供することにある。
【０００８】
【課題を解決するための手段】
本発明は、電力を受給する電力線を有し、外部端末との間で通信線を介して情報を送受信する通信機器を収納する通信機器収納部と、
電力供給源に接続されて前記通信機器に電力を供給する無停電電源装置を収納する電源装置収納部と
を有するラック本体を具備してなる通信機器収納ラックにおいて、
前記電源装置収納部は、前記通信機器収納部よりも下部に設けられてなるとともに少なくとも２つの前記無停電電源装置が配置されてなり、
前記ラック本体は、
前記電力線の終端部を接続する電力線終端部接続端子と、
前記２つの前記無停電電源装置の電力を供給する電力供給線の終端部を接続する電力供給線終端部接続端子と、
前記電力線終端部接続端子に電気的に接続されて当該電力線終端部接続端子を介して前記通信機器に接続されるとともに前記電力供給線終端部接続端子に電気的に接続されて当該電力供給線終端部接続端子を介して前記２つの前記無停電電源装置に接続され、前記電力供給線終端部接続端子から供給される前記２つの前記無停電電源装置からの電力を前記電力線終端部接続端子から前記通信機器に供給する供給源切替機構と
を具備してなり、
前記供給源切替機構は、前記２つの前記無停電電源装置のうち一方の電力供給が停止した場合に他方の電力を前記電力線終端部接続端子から前記通信機器に供給するものであり、
前記ラック本体の支柱に前記電力線終端部接続端子と前記電力供給線終端部接続端子と空洞部を設け、前記支柱の前記空洞部に前記供給源切替機構を具備してなることを特徴とする。
【０００９】
このような構成によれば、通信機器を収納する収納ラックに、収納ラックに搭載可能な程度の小型の無停電電源装置を搭載して通信機器に電力供給することにより、瞬断による通信機器の通信停止が防止できる。また、通常収納ラックには通信機器が搭載されずに使用されていないデッドスペースが存在するが、このようなデッドスペースに無停電電源装置を収納することにより、スペースを有効利用して省空間化を図ることができる。
【００１０】
ラック本体には前記電力線の終端部を接続する電力線終端部接続端子と、前記無停電電源装置の電力を供給する電力供給線の終端部を接続する電力供給線終端部接続端子とを具備することにより、通信機器の電力線と、無停電電源装置の電力供給線が収納ラックに取り付けられることとなり、混線が防止できる。
【００１１】
また、電源装置収納部は複数の無停電電源装置を収納して供給源切替機構を用いて電力供給することにより、相互に瞬断時のバックアップ体制をとることができる。すなわち、一の無停電電源装置による電力供給が停止した場合でも他の無停電電源装置により通信機器への電力供給の停止を防止できる。供給源切替機構をラック本体の支柱の空洞部に具備することで、支柱の空洞部のスペースを有効利用して省空間化を図ることができる。
【００１２】
また、電源装置収納部は、前記通信機器収納部よりも下部に設けられてなる。これにより、無停電電源装置を通信機器よりも下部に配置することが可能となり、無停電電源装置の重さによりラックの重心が安定する。
【００１３】
望ましくは、電源装置収納部は、重力に対して水平な平面上で前記ラック本体の重心位置に対して互いに対称の位置に同一機種の少なくとも２つの前記無停電電源装置が配置されてなる。これにより、各無停電電源装置同士をバランスがとれた状態で配置することができ、ラックの重心の安定性がさらに向上する。
【００１５】
【発明の実施の形態】
以下、図面を参照しながら本発明の一実施形態を説明する。
【００１６】
図１は本発明の第１実施形態に係る通信機器収納ラックの全体構成を示す斜視図である。
【００１７】
図１に示すように、この収納ラック１は、４本の支柱１１を有する。各支柱１１同士の距離は４００〜９００ｍｍ、望ましくは４５０〜９００ｍｍであり、高さは０．７５〜２ｍである。これら支柱１１のそれぞれには複数の支持具が取り付けられている。これら支持具はそれぞれ支柱１１の異なる高さに取り付けられている。各支柱１１に設けられた４つの支持具は、１枚の支持板１３ａの各角部を水平支持する。この支持板１３ａの上方の空間には、第１の通信機器収納部１４ａが設けられる。この第１の通信機器収納部１４ａ内には、通信機器１５ａが支持板１３ａに載置されるように配置される。
【００１８】
同様に、他の高さに取り付けられた４つの支持具は１枚の支持板１３ｂの各角部を水平支持し、この支持板１３ｂの上方の空間には第２の通信機器収納部１４ｂが設けられる。この第２の通信機器収納部１４ｂ内には、通信機器１５ｂが支持板１３ｂに載置されるように配置される。同様に、他の高さに取り付けられた４つの支持具は１枚の支持板１３ｃの各角部を水平支持し、この支持板１３ｃの上方の空間には第３の通信機器収納部１４ｃが設けられる。この第３の通信機器収納部１４ｃ内には、通信機器１５ｃが支持板１３ｃに載置されるように配置される。
【００１９】
また、４本の支柱１１の支持具よりも少なくとも下方位置にはさらに支持具が設けられている。これら下方位置の支持具は、支柱１１の最低部に設けられているのが望ましいが、底面から若干の間隙を有して設けられていてもよい。そして、これら支持具により、支持板１３ｄの各角部が保持される。そして、この支持板１３ｄと支持板１３ｃとの間にはＵＰＳ収納部１４ｄが設けられる。
【００２０】
このＵＰＳ収納部１４ｄ内には、２つのＵＰＳ１６，１７が支持板１３ｄ上に載置される。このＵＰＳ収納部１４ｄの上面図を図２に示す。図２に示すように、ＵＰＳ１６及びＵＰＳ１７の横断面積は支持板１３ｄの占有面積よりも小さくなっている。ＵＰＳ１６及びＵＰＳ１７の重心位置は１６ａ及び１７ａで示される。また、収納ラック１の重心位置は１１ａで示される。ＵＰＳ１６及びＵＰＳ１７は同一機種のものが用いられ、同一重量で同一の重心位置を有する。従って、重心位置１６ａ及び１７ａは重心位置１１ａを中心として対称に位置するようにＵＰＳ１６及びＵＰＳ１７が配置される。さらに、これら重心位置１６ａ及び１７ａと重心位置１１ａとの距離１８、１９は、できる限り長くする方が望ましい。従って、ＵＰＳ１６及びＵＰＳ１７は、支柱１１に接する程度に収納ラック１の重心位置１１ａから離れた位置に配置するのが望ましい。ＵＰＳ１６及びＵＰＳ１７は、ｘ方向が１２５ｍｍ〜４５０ｍｍ、ｙ方向が３６５ｍｍ〜７５０ｍｍ、ｚ方向の高さが１２８ｍｍ〜１０５０ｍｍの大きさである。ここで、前述の通りＵＰＳ１６及び１７を載置する支持板１３ｄは、底面から若干の間隙を有して支持具１２ｄにより支持されることにより、ＵＰＳ１６及び１７の荷重が支柱１１に支えられる構成となり、収納ラック１全体としての重心が通信機器１５ａ〜１５ｃのみの場合よりも相対的に低くなる。
【００２１】
図１に示すように、支柱１１のいずれか一つには複数の電力線接続端子２１ａ〜２１ｃが設けられている。これら電力線接続端子２１ａ〜２１ｃには、通信機器１５ａ〜１５ｃへの給電線１２ａ〜１２ｃが接続される。また、支柱１１は支柱１１を構成する部材により空洞部１１ｂが設けられており、電力線接続端子２１ａ〜２１ｃが設けられた支柱１１の空洞部１１ｂには電力線２２ａ〜２２ｃが通されている。
【００２２】
図３（ａ）は上記収納ラックの電力系統を示す図である。また、図３（ｂ）は電力系統が設けられた支柱１１を図１のＡ−Ａ’断面で示した図である。
【００２３】
電力線２２ａ〜２２ｃの一端はそれぞれ電力線接続端子２１ａ〜２１ｃに接続される。電力線２２ａ〜２２ｃの他端はＵＰＳ収納部１４ｄの高さであって支柱１１の空洞部１１ｂに設けられた接続端子アセンブリ２３に設けられた電力線接続端子２３ａ〜２３ｃに接続されている。このように、電力線２２ａ〜２２ｃを支柱１１の空洞部１１ｂに通すことにより、複数の電力線が互いに混線することなく複数の通信機器に電力を供給することができる。
【００２４】
また、電力線接続端子２３ａ〜２３ｃは単一の接続端子アセンブリ２３に設けられている。この接続端子アセンブリ２３は、これら電力線接続端子２３ａ〜２３ｃそれぞれに接続された電力線２３ｄを有する。この電力線２３ｄは、支柱１１空洞部内の供給源切替機構２４に接続され、さらにこの供給源切替機構２４には、支柱１１に設けられた２個のＵＰＳ接続端子２５ａ及び２５ｂに接続されている。
【００２５】
一方、ＵＰＳ１６及びＵＰＳ１７はそれぞれ電力供給源にＵＰＳを接続するための給電線１６ｂ及び１７ｂと、ＵＰＳ接続端子２５ａ及び２５ｂにそれぞれ接続される電力コード１６ｃ及び１７ｃを有する。供給源切替機構２４は、ＵＰＳ１６を介して供給される電力とＵＰＳ１７を介して供給される電力を切り替えるもので、例えばＵＰＳ１６を介して供給される電力が瞬断等により停止した場合、ＵＰＳ１７からの電力に切り替える。なお、通常の電力供給時は双方からの電力を電力線２３ｄに供給するようになっている。
【００２６】
また、各ＵＰＳ１６及び１７の給電線１６ｂ及び１７ｂは、それぞれ第１電力供給源及び第２電力供給源に接続されるというように、異なる電力供給源に接続されるのが望ましい。これにより、一方の電力供給源による電力が瞬断等した場合であっても他方の電力供給源による給電が持続されているため、相互に他方の電力供給をバックアップすることができる。その結果、通信機器１５ａ〜１５ｃのシステム稼働の信頼性が向上する。なお、電力供給源は、電力会社の電力線に直接接続される場合のみならず、さらにＵＰＳを介して電力供給源に接続される態様でもよい。
【００２７】
ＵＰＳ１６及びＵＰＳ１７は、例えば、６０〜９０秒の間９０Ｖ以上の電圧を供給し、かつ６０〜９０秒の間５０〜１００Ａの電流を供給可能なものである。
【００２８】
上記実施形態に係る通信機器収納ラックを用いた瞬断防止動作を以下説明する。２つの電力供給源のうち、例えば第１電力供給源からの電力供給が瞬断した場合、例えば０．０３〜０．２秒の間に、給電線１６ｂに供給される電圧は定格電圧である１００Ｖから９０Ｖ以下の電圧に落ち込む。この際、ＵＰＳ１６に充電されている電力が供給されることにより、正常な電力供給時と同様の電力を供給することができる。
【００２９】
また、給電線１６ｂに供給される電圧が９０Ｖ以下の電圧に落ち込んだ後１２０〜３００秒の間に、さらにＵＰＳ１６から給電される電圧は９０Ｖ以下に落ち込む可能性がある。この場合であっても、２つのＵＰＳ１６及びＵＰＳ１７が作動することにより、それぞれから例えば２５〜５０Ａの電流が供給されることにより、各通信機器１５ａ〜１５ｃは正常な電力供給を受けられ、正常に作動することができる。
【００３０】
以上説明したように本実施形態によれば、通信機器を収納する収納ラックにＵＰＳを搭載することにより、瞬断が生じても通信機器による通信が可能である。特に、株式売買の成立取引をオンラインで行う通信機器を収納ラックに搭載し、ＵＰＳのバックアップを受けることにより、瞬時に取引内容が変動する株式売買の成立取引を一旦停止することなく続行することができる。その結果、株式売買の成立取引に際する取引不能状態の発生というリスクを軽減できる。もちろん、株式売買の成立取引のみならず、他の通信機器を用いた処理を行う通信機器を搭載してもよい。なお、通信機器は、例えばＷＡＮ（Wide Area Network）に用いられるルータや、例えばＬＡＮ（Local Area Network）に用いられるサーバ等が該当する。
【００３１】
また、通常収納ラックには通信機器が搭載されずに使用されていないデッドスペースが存在するが、本実施形態によれば、このようなデッドスペースを有効利用した省空間化を図ることができる。さらに、重量のあり、かつ通常は使用されることのないＵＰＳを載置する位置をラックの最低部に設けることにより、通常使用され、作業の対象となり易い各通信機器をその上部に配置した場合の重心が下がり、安定した状態で通信機器を使用することができる。また、作業の対象となり易い通信機器を作業しづらいＵＰＳの配置位置である最低部よりも上部に設けることにより、通信機器のメンテナンス等の通信機器に対する作業を容易に行うことができる。
【００３２】
さらに、ＵＰＳを２台設け、２台により相互バックアップ体制をとることにより、一方のＵＰＳ側の電力供給が途絶え、かつそのＵＰＳによるバックアップのみでは電力供給ができなくなった場合でも、２台のＵＰＳを作動させることにより通信機器に電力を供給することができ、通信機器稼働の信頼性がさらに向上する。
【００３３】
本発明は上記実施形態に限定されるものではない。ＵＰＳを２つ設ける場合を示したが、これに限定されるものではなく、１つでも、３つ以上であってもよい。１つのＵＰＳにより瞬断を防止する場合、ＵＰＳ収納部１４ｄの上面図は図４（ａ）のようになる。この図４（ａ）に示すように、単一のＵＰＳ３１の重心位置３１ａを重心位置３１ａの重心位置に重なるようにするのが望ましい。また、３つのＵＰＳによる場合には、図４（ａ）に示した配置のＵＰＳ３１と、上記実施形態で示したＵＰＳ１６及びＵＰＳ１７を配置することにより、ラック１全体の重心のバランスを取ることができる。また、４つのＵＰＳによる場合、図４（ｂ）に示すように、４隅にＵＰＳ３１〜３４を配置することにより、ラック１全体の重心のバランスを取ることができる。このように、ＵＰＳの個数が増えた場合であっても、全体のバランスが安定した収納ラックを実現することができる。
【００３４】
また、４本の支柱１１により規定される収納ラックの占有領域に複数のＵＰＳが同じ平面に配置可能な場合を示したが、これに限定されず、例えば複数の支持板により高さ方向に仕切られた複数のＵＰＳ収納部を設け、各収納部にそれぞれＵＰＳを設ける態様でもよい。この場合、ＵＰＳの占有する領域が収納部の領域よりも小さければよい。例えばＵＰＳの横及び縦方向の長さは、支持板の横方向及び縦方向の長さよりも短ければよい。
【００３５】
さらに、本実施形態では電力供給系を１本の支柱に設ける場合を示したが、これに限定されず、各ＵＰＳ毎に異なる支柱に図３に示すような電力供給系を設けてもよい。
【００３６】
【発明の効果】
以上詳述したように本発明によれば、簡便に瞬断による通信機器の機能停止を防止するとともにスペースを有効利用して省空間化を図ることができる通信機器収納ラックが実現される。
【図面の簡単な説明】
【図１】本発明の第１実施形態に係る通信機器収納ラックの全体構成を示す斜視図。
【図２】同実施形態に係るＵＰＳ収納部の上面図。
【図３】同実施形態に係る電力供給系統の模式図。
【図４】同実施形態に係るＵＰＳ収納部の変形例を示す図。
【符号の説明】
１…収納ラック
１１…支柱
１１ａ，１６ａ，１７ａ…重心位置
１１ｂ…空洞部
１２ａ〜１２ｄ…給電線
１３ａ〜１３ｄ…支持板
１４ａ〜１４ｃ…通信機器収納部
１４ｄ…ＵＰＳ収納部
１５ａ〜１５ｃ…通信機器
１６，１７…ＵＰＳ
１６ａ，１６ｂ…重心位置
１６ｂ，１７ｂ…給電線
１６ｃ，１７ｃ…電力コード
２１ａ〜２１ｃ…電力線接続端子
２２ａ〜２２ｃ…電力線
２３…接続端子アセンブリ
２３ａ〜２３ｃ…電力線接続端子
２３ｄ…電力線
２４…供給源切替機構
２５ａ，２５ｂ…ＵＰＳ接続端子
【図１】
0004181298.tif 000002
【図２】
0004181298.tif 000003
【図３】
0004181298.tif 000004
【図４】
0004181298.tif 000005